【手続補正書】
【提出日】平成26年4月30日(2014.4.30)
【手続補正１】
【補正対象書類名】特許請求の範囲
【補正対象項目名】全文
【補正方法】変更
【補正の内容】
【特許請求の範囲】
【請求項１】
信頼できる電子メール通信を提供する方法であって、
メッセージ発信元組織から、受信者組織に対するメッセージを受信するステップと、
前記メッセージ発信元組織を識別するステップと、
前記メッセージ発信元組織が信頼できるか否かを判別するステップと、
前記受信者組織が属性データの拡張機能をサポートしているか否かを判別するステップであって、ＳＭＴＰ（シンプルメッセージ転送プロトコル）を介して送信されたＥＨＬＯコマンドに応答して、前記受信者組織が前記属性データの拡張機能のサポートを通知するか否かを判別するステップを含む、ステップと、
前記受信者組織が前記属性データの拡張機能をサポートしているという判別に応答して、前記メッセージが前記信頼できるメッセージ発信元組織によって生成されたことを示す属性要素と共に、前記メッセージを前記受信者組織に送信するステップと
を含むことを特徴とする方法。
【請求項２】
前記メッセージ発信元組織が、マルチテナント型電子メールサービスプロバイダのテナントを含むことを特徴とする、請求項１に記載の方法。
【請求項３】
前記メッセージ発信元組織がスタンドアロン型システムを含み、前記受信者組織がマルチテナント型電子メールサービスプロバイダのテナントを含むことを特徴とする、請求項１に記載の方法。
【請求項４】
セキュアな通信チャンネルを、前記スタンドアロン型システムと前記マルチテナント型電子メールサービスプロバイダとの間に確立するステップをさらに含むことを特徴とする、請求項３に記載の方法。
【請求項５】
前記セキュアな通信チャンネルを確立するステップが、ＴＬＳ（トランスポートレイヤセキュリティ）プロトコル・ベースの認証を実行するステップを含むことを特徴とする、請求項４に記載の方法。
【請求項６】
前記メッセージを、前記メッセージ発信元組織と関連付けられた属性データと共に、前記受信者組織に送信するステップが、前記受信者組織に前記属性要素を含むＳＭＴＰ（シンプルメッセージ転送プロトコル）コマンドを送信するステップを含むことを特徴とする、請求項１に記載の方法。
【請求項７】
前記メッセージを、前記メッセージ発信元組織と関連付けられた属性データと共に、前記受信者組織に送信するステップが、前記メッセージを前記受信者組織に送信する前に、前記属性要素を前記メッセージに付加するステップを含むことを特徴とする、請求項１に記載の方法。
【請求項８】
前記メッセージ発信元組織のドメイン所有認証を実行するステップをさらに含むことを特徴とする、請求項１に記載の方法。
【請求項９】
実行されたときに、信頼できる電子メール通信を提供する方法を実行する命令セットを格納するコンピュータ可読媒体であって、前記方法が、
マルチテナント型電子メールプロバイダとの信頼関係を確立するステップと、
属性要素がサポートされていることを前記マルチテナント型電子メールプロバイダに通知するステップと、
電子メールメッセージを、前記マルチテナント型電子メールプロバイダのクライアントテナントから受信するステップと、
前記電子メールメッセージが前記属性要素に関連付けられているか否かを判別するステップと、
前記電子メールメッセージが前記属性要素に関連付けられているという判別に応答して、前記属性要素が前記クライアントテナントを信頼できる送信者として識別するか否か判別するステップと、
前記属性要素が前記クライアントテナントを前記信頼できる送信者として識別しているという判別に応答して、信頼できる送信者から受信された電子メールメッセージと関連付けられた電子メール処理ルールを適用するステップであって、前記電子メール処理ルールが、信頼できる送信者から受信されたものではない電子メールメッセージに対して許可されるサイズよりも大きな添付ファイルのサイズを許可する、ステップと
を含む前記命令セットによって実行されることを特徴とする、コンピュータ可読媒体。
【請求項１０】
前記属性要素がサポートされていることを前記マルチテナント型電子メールプロバイダに通知するステップは、ＳＭＴＰ（シンプルメッセージ転送プロトコル）を介して送信されたＥＨＬＯコマンドに応答して、属性データの拡張機能のサポートを通知するステップを含むことを特徴とする、請求項９に記載のコンピュータ可読媒体。
【請求項１１】
前記属性要素は、ＳＭＴＰ（シンプルメッセージ転送プロトコル）コマンドとして受信されることを特徴とする、請求項９に記載のコンピュータ可読媒体。
【請求項１２】
前記属性要素は、前記電子メールメッセージと関連付けられたヘッダ、前記電子メールメッセージの本文のサブセット、及び前記電子メールメッセージと関連付けられた添付ファイルのうちの少なくとも１つとして受信されることを特徴とする、請求項９に記載のコンピュータ可読媒体。
【請求項１３】
信頼できる送信者から受信された前記電子メールメッセージと関連付けられた前記電子メール処理ルールを適用するステップは、信頼できる送信者から受信されたものではない電子メールメッセージに適用された少なくとも１つのメッセージ分析器をバイパスするステップを含むことを特徴とする、請求項９に記載のコンピュータ可読媒体。
【請求項１４】
信頼できる送信者から受信された前記電子メールメッセージと関連付けられた前記電子メール処理ルールを適用するステップは、外観の書式を前記電子メールメッセージに適用するステップを含むことを特徴とする、請求項９に記載のコンピュータ可読媒体。
【請求項１５】
前記属性要素が前記クライアントテナントを前記信頼できる送信者としては識別していないという判別に応答して、
前記電子メールメッセージを配信のために受け入れるステップと、
信頼できる送信者から受信されたものではない電子メールメッセージと関連付けられた第２の電子メール処理ルールを適用するステップと
をさらに含むことを特徴とする、請求項９に記載のコンピュータ可読媒体。
【請求項１６】
前記属性要素が前記クライアントテナントを前記信頼できる送信者としては識別していないという判別に応答して、前記電子メールメッセージを拒否するステップをさらに含むことを特徴とする、請求項９に記載のコンピュータ可読媒体。
【請求項１７】
前記属性要素が前記クライアントテナントを前記信頼できる送信者としては識別していないという判別に応答して、
信頼できないクライアントテナントからの電子メールメッセージを管理者に通知するステップと、
前記電子メールメッセージを配信するか否かの決定が受信されるまで前記電子メールメッセージを一時的に拒否するステップと
をさらに含むことを特徴とする、請求項９に記載のコンピュータ可読媒体。
【請求項１８】
信頼できる電子メール通信を提供するシステムであって、前記システムは、
メモリ記憶装置と、
前記メモリ記憶装置に接続された処理ユニットと
を備え、前記処理ユニットが、
発信元組織との認証済み通信チャンネルを作成し、前記認証済み通信チャンネルを作成するように動作することは、ＴＬＳ（トランスポートレイヤセキュリティ）プロトコル証明書ベースの認証を実行するように動作することを含み、
電子メールメッセージを、前記発信元組織から受信し、前記発信元組織が、マルチテナント型電子メールサービスプロバイダのテナントを含み、
前記電子メールメッセージが属性データ要素と関連付けられているか否かを判別し、前記属性データ要素が、ＳＭＴＰ（シンプルメッセージ転送プロトコル）パラメータ、ＳＭＴＰコマンド、前記電子メールメッセージと関連付けられたヘッダ、前記電子メールメッセージの本文のサブセット、及び電子メールメッセージと関連付けられた添付ファイルのうちの少なくとも１つを含み、
前記電子メールメッセージが属性データ要素と関連付けられているという判別に応答して、前記属性データ要素が信頼できる発信元組織を識別するか否かを判別し、
前記属性データ要素が信頼できる発信元組織を識別しているという判別に応答して、前記電子メールメッセージを配信する前に、少なくとも１つの第１のメッセージ処理ルールを適用し、
前記属性データ要素が信頼できる発信元組織を識別していないという判別に応答して、前記電子メールメッセージを配信する前に少なくとも１つの第２のメッセージ処理ルールを適用する
ように動作することを特徴とするシステム。
【請求項１９】
信頼できる発信元から受信した電子メールメッセージと関連付けられる電子メールの処理ルールを適用することが、信頼できる送信者から受信されたものではない電子メールメッセージに対して許可されるサイズよりも大きな添付ファイルのサイズを許可することを含むことを特徴とする、請求項１８に記載のシステム。
【請求項２０】
信頼できる発信元から受信した電子メールメッセージと関連付けられる電子メールの処理ルールを適用することが、外観の書式を前記電子メールメッセージに適用することを含むことを特徴とする、請求項１８に記載のシステム。